(57)【要約】【課題】開閉時の懸念を極力解消できるハウス玩具を提供する。【解決手段】ハウス玩具１０は、第１ケース１１と、第２ケース１２と、第２ケース１２を第１ケース１１の開口を閉じた閉塞状態と第１ケース１１の開口を開いた開放状態とに変化できるように第１ケース１１に対して回動自在に接続した接続機構ＪＭとを備えている。接続機構ＪＭは、第２ケース１２を閉塞状態から開放状態に変化させるときの回動角度が上限角度を超えたときに前記接続を解除するように構成されている。【選択図】図４
2018110835.tif 000002
【特許請求の範囲】
【請求項１】
第１ケースと、第２ケースと、前記第２ケースを前記第１ケースの開口を閉じた閉塞状態と前記第１ケースの開口を開いた開放状態とに変化できるように前記第１ケースに対して回動可能に接続した接続機構と、前記第２ケースに設けられた把持部とを備えており、
前記第１ケースと前記第２ケースのそれぞれは、底部と、前記底部の周囲に設けられた壁部とを有し、
前記接続機構は、前記第２ケースを前記閉塞状態から前記開放状態に変化させるときの回動角度が上限角度を超えたときに前記接続を解除するように構成され、
前記把持部は、前記第２ケースを前記閉塞状態から前記開放状態に変化させたときに前記第２ケースを支持する部材を兼用している、
ハウス玩具。
【請求項２】
前記接続機構は、前記第１ケースに設けられた第１接続部と、前記第２ケースに設けられた第２接続部とを含み、
前記接続の解除は、前記第１接続部からの前記第２接続部の離反に基づいて行われるように構成されている、
請求項１に記載のハウス玩具。
【請求項３】
前記第２接続部は、前記第２ケースを前記閉塞状態から前記開放状態に変化させるときの前記回動角度が前記上限角度に達するまで前記接続を保持する接続保持部を有している、
請求項２に記載のハウス玩具。
【請求項４】
前記第１接続部は、軸部を有しており、
前記第２接続部の前記接続保持部は、前記第１接続部の前記軸部の外周面に沿って回動可能な態様を成している、
請求項３に記載のハウス玩具。
【請求項５】
前記第１接続部と前記第２接続部のそれぞれは、補助接続部を有しており、
前記接続の解除は、前記軸部からの前記接続保持部の離反と、前記補助接続部相互の離反の両方に基づいて行われるように構成されている、
請求項４に記載のハウス玩具。
【請求項６】
前記第１接続部の前記補助接続部は、嵌め合いおよびその解除が可能な凸部および凹部の一方を有し、
前記第２接続部の前記補助接続部は、前記凸部および凹部の他方を有している、
請求項５に記載のハウス玩具。
【請求項７】
前記第１ケースの前記壁部と前記第２ケースの前記壁部のそれぞれは、第１壁部分と、前記第１壁部分と向き合う第２壁部分と、第３壁部分と、前記第３壁部分と向き合う第４壁部分とを連続して有している、
請求項６に記載のハウス玩具。
【請求項８】
前記第１ケースの前記第２壁部分に、前記第１接続部が設けられ、前記第２ケースの前記第１壁部分に、前記第２接続部が設けられ、
前記第１ケースの前記第２壁部分の高さは前記第１壁部分の高さよりも高く、
前記第２ケースの前記第２壁部分の高さは前記第１壁部分の高さよりも高い、
請求項７に記載のハウス玩具。
【請求項９】
前記第１ケースの前記第３壁部分と前記第４壁部分のそれぞれは、前記第１ケースの前記第１壁部分の高さから前記第２壁部分の高さに変化する態様の上縁を有しており、
前記第２ケースの前記第３壁部分と前記第４壁部分のそれぞれは、前記第２ケースの前記第１壁部分の高さから前記第２壁部分の高さに変化する態様の上縁を有している、
請求項８に記載のハウス玩具。
【請求項１０】
前記第１ケースの形状と前記第２ケースの形状は略同じ形状である、
請求項１〜９のいずれか１項に記載のハウス玩具。
【請求項１１】
前記第２ケースの前記閉塞状態の保持およびその解除が可能なロック機構をさらに備えている、
請求項１〜１０のいずれか１項に記載のハウス玩具。
【請求項１２】
前記把持部は、載置面上に前記第１ケースを置いて前記第２ケースを前記閉塞状態から前記開放状態に変化させるときの前記回動角度が前記上限角度に達したときに前記載置面に当接するように構成されている、
請求項１に記載のハウス玩具。
【請求項１３】
前記第２ケースが前記開放状態にあるとき、前記第２ケースの前記底部の内面と前記第１ケースの前記底部の内面のそれぞれは物品を載置可能な面となるように構成されている、
請求項１２に記載のハウス玩具。
【請求項１４】
前記第２ケースが前記開放状態にあるとき、前記第２ケースの前記底部の内面と前記第１ケースの前記底部の内面とが前記載置面に対して異なる高さ位置になるように構成されている、
請求項１２または１３に記載のハウス玩具。
【請求項１５】
前記第１ケースの前記底部と前記第２ケースの前記底部とを連絡する階段状物品をさらに備えている、
請求項１に記載のハウス玩具。
【請求項１６】
前記第１ケースの前記壁部と前記第２ケースの前記壁部の少なくとも一方は、開閉可能な補助載置部を有している、
請求項１に記載のハウス玩具。
【発明の詳細な説明】
【技術分野】
【０００１】
本発明は、人形玩具等を用いた遊戯に使用されるハウス玩具に関する。
【背景技術】
【０００２】
前掲のハウス玩具に関し、後記特許文献１には、枠体とその前後部それぞれに設けられた壁体とを有し、かつ、少なくとも一方の壁体が開閉可能に構成された箱型のハウス本体を備えたハウス玩具が開示されている。
【０００３】
しかしながら、後記特許文献１に開示されているハウス玩具は、壁体を枠体との境界部分で折り曲げることによって当該壁体の開閉が行われるため、壁体の開閉時に不適当な操作に基づく力が境界部分にかかると、同境界部分が損傷してその後の壁体の開閉に支障を生じる懸念がある。
【先行技術文献】
【特許文献】
【０００４】
【特許文献１】実開昭６０−０７３６００号
【発明の概要】
【発明が解決しようとする課題】
【０００５】
本発明が解決しようとする課題は、開閉時の懸念を極力解消できるハウス玩具を提供することにある。
【課題を解決するための手段】
【０００６】
前記課題を解決するため、本発明に係るハウス玩具は、第１ケースと、第２ケースと、前記第２ケースを前記第１ケースの開口を閉じた閉塞状態と前記第１ケースの開口を開いた開放状態とに変化できるように前記第１ケースに対して回動可能に接続した接続機構とを備えており、前記接続機構は、前記第２ケースを前記閉塞状態から前記開放状態に変化させるときの回動角度が上限角度を超えたときに前記接続を解除するように構成されている。
【発明の効果】
【０００７】
本発明に係るハウス玩具によれば、開閉時の懸念を極力解消することができる。
【図面の簡単な説明】
【０００８】
【図１】図１は本発明を適用したハウス玩具の閉塞状態の正面図である。
【図２】図２は図１に示したハウス玩具の平面図である。
【図３】図３は図１に示したハウス玩具の背面図である。
【図４】図４は図１に示したハウス玩具の右側面図である。
【図５】図５は図１に示したハウス玩具の開放状態の平面図である。
【図６】図６は図１に示したハウス玩具の開放状態の右側面図である。
【図７】図７は図１に示したハウス玩具が備える接続機構の説明図である。
【図８】図８（Ａ）〜図８（Ｃ）は図１に示したハウス玩具が備える接続機構の説明図である。
【図９】図９（Ａ）および図９（Ｂ）は図８に示した接続機構の変形例の説明図である。
【図１０】図１０（Ａ）〜図１０（Ｄ）は図１に示したハウス玩具が備えるロック機構の説明図である。
【図１１】図１１は図１に示したハウス玩具に適用可能な階段状物品の説明図である。
【図１２】図１２（Ａ）および図１２（Ｂ）は図１に示したハウス玩具に適用可能な補助載置部の説明図である。
【発明を実施するための形態】
【０００９】
まず、図１〜図１０を用いて、本発明を適用したハウス玩具１０の構成について説明する。なお、以下の説明中の「閉塞状態」は図１〜図４に示した状態を示し、「開放状態」は図５および図６に示した状態を示す。
【００１０】
ハウス玩具１０は、第１ケース１１と、第２ケース１２と、接続機構ＪＭと、ロック機構ＬＭ（ロック操作部１３）と、把持部１４と、を備えている。また、ハウス玩具１０は、一部の金属部品（ロック機構ＬＭの弾性部材１３ｄ等）を除き、ＡＢＳ樹脂やポリプロピレン等の合成樹脂によって形成されている。
【００１１】
第１ケース１１は、開放状態で説明すると、外形が矩形状を成す底部１１ａと、底部１１ａの周囲に設けられた壁部、具体的には第１壁部分１１ｂと、第１壁部分１１ｂと向き合う第２壁部分１１ｃと、第３壁部分１１ｄと、第３壁部分１１ｄと向き合う第４壁部分１１ｅとが連続した壁部（符号省略）と、を有している。第１壁部分１１ｂの外形と第２壁部分１１ｃの外形は矩形状を成しており、第２壁部分１１ｃの高さ（第２高さ）は第１壁部分１１ｂの高さ（第１高さ）よりも高い。また、第３壁部分１１ｄと第４壁部分１１ｅのそれぞれは、第１高さから第２高さに変化する態様の上縁、具体的には側方から見て凹曲線と凸曲線とを組み合わせた態様の上縁を有している。さらに、第１壁部分１１ｂの上縁と第２壁部分１１ｃの上縁と第３壁部分１１ｄの上縁と第４壁部分１１ｅの上縁とによって、第１ケース１１の開口（符号省略）が形成されている。この第１ケース１１は、開放状態において、底部１１ａの内面が、遊戯用の各種物品、例えばミニチュア家具やミニチュア人形やミニチュア食料品等を載置可能な面として使用される。
【００１２】
第２ケース１２は、第１ケース１１と略同じ形状を有している。すなわち、第２ケース１２は、開放状態で説明すると、外形が矩形状を成す底部１２ａと、底部１２ａの周囲に設けられた壁部、具体的には第１壁部分１２ｂと、第１壁部分１２ｂと向き合う第２壁部分１２ｃと、第３壁部分１２ｄと、第３壁部分１２ｄと向き合う第４壁部分１２ｅとが連続した壁部（符号省略）と、を有している。第１壁部分１２ｂの外形と第２壁部分１２ｃの外形は矩形状を成しており、第２壁部分１２ｃの高さ（第２高さ：第１ケース１１の第２壁部分１１ｃの高さと略同じ）は第１壁部分１２ｂの高さ（第１高さ：第１ケース１１の第１壁部分１１ｂの高さと略同じ）よりも高い。また、第３壁部分１２ｄと第４壁部分１２ｅのそれぞれは、第１高さから第２高さに変化する態様の上縁、具体的には第１ケース１１の第３壁部分１１ｄと第４壁部分１１ｅと同様、側方から見て凹曲線と凸曲線とを組み合わせた態様の上縁を有している。さらに、第１壁部分１２ｂの上縁と第２壁部分１２ｃの上縁と第３壁部分１２ｄの上縁と第４壁部分１２ｅの上縁とによって、第２ケース１２の開口（符号省略）が形成されている。この第２ケース１２は、開放状態において、底部１２ａの内面が、遊戯用の各種物品を載置可能な面として使用される。
【００１３】
接続機構ＪＭは、第２ケース１２が第１ケース１１の開口を閉じた閉塞状態と第１ケース１１の開口を開いた開放状態とに変化できるように、第１ケース１１に対して第２ケース１２を回動可能に接続している。また、接続機構ＪＭは、第２ケース１２を閉塞状態から開放状態に変化させるときの回動角度ＲＡ（図８（Ｂ）および図８（Ｃ）を参照）が上限角度を超えたときに、接続を解除するように構成されている。具体的には、接続機構ＪＭは、図７に示したように、第１ケース１１に設けられた第１接続部ＪＭ１と、第２ケース１２に設けられた第２接続部ＪＭ２とを含み、第２ケース１２を閉塞状態から開放状態に変化させるときの回動角度が上限角度を超えたときに、第１接続部ＪＭ１から第２接続部ＪＭ２を離反させて前記接続を解除できるように構成されている。
【００１４】
図７に示した第１接続部ＪＭ１は、開放状態で説明すると、第１ケース１１の第２壁部分１１ｃの外面上部に設けられた左右１対の軸支持部１１ｆと、１対の軸支持部１１ｆの間に設けられた縦断面が円状の軸部１１ｇと、各軸支持部１１ｆの外側に間隔をおいて設けられた左右１対の補助接続部１１ｈと、を有している。軸部１１ｇの中心線は第２壁部分１１ｃの上縁と平行であり、軸部１１ｇと第２壁部分１１ｃとの間には隙間が存在する。また、１対の軸支持部１１ｆと１対の補助接続部１１ｈは、縦断面が半円状の上部と縦断面が矩形状の下部とが連続した態様を成している（図８（Ａ）を参照）。さらに、１対の補助接続部１１ｈは弾性が得られるような厚さに形成されており、各々の上部外側面には半球状の凸部１１ｈ１が設けられている。各補助接続部１１ｈの凸部１１ｈ１の中心を結ぶ線は、軸部１１ｇの中心線と一致している。
【００１５】
図７に示した第２接続部ＪＭ２は、開放状態で説明すると、第２ケース１２の第１壁部分１２ｂの外面上部に設けられた接続保持部１２ｆと、接続保持部１２ｆの左右両側に間隔をおいて設けられた左右１対の補助接続部１２ｇと、を有している。接続保持部１２ｆは、縦断面が円弧状の態様、具体的には内面の曲率半径が前記軸部１１ｇの外面の曲率半径よりも僅かに大きく、かつ、厚さが前記軸部１１ｇと前記第２壁部分１１ｃとの隙間よりも僅かに小さく、しかも中心角が略９０度の態様を成している（図８（Ａ）を参照）。また、接続保持部１２ｆの曲率半径の中心を通る線は第１壁部分１２ｂの上縁と平行であり、その幅は前記軸部１１ｇの長さよりも小さい。さらに、１対の補助接続部１２ｇは縦断面が略円状を成しており、各々の内側面には前記凸部１１ｈ１の嵌め合いおよびその解除を可能とした半球状の凹部１２ｇ１が設けられている。さらに、１対の補助接続部１２ｇの間隔は前記１対の補助接続部１１ｈの上部外側面の間隔よりも僅かに大きく、各凹部１２ｇ１の中心を結ぶ線は、接続保持部１２ｆの曲率半径の中心を通る線と一致している。
【００１６】
図７に示した第１接続部ＪＭ１と第２接続部ＪＭ２は、第２接続部ＪＭ２の接続保持部１２ｆを、第１接続部ＪＭ１の軸部１１ｇと第２壁部分１１ｃとの隙間に上から差し込むとともに、第２接続部ＪＭ２の各補助接続部１２ｇの凹部１２ｇ１を、第１接続部ＪＭ１の各補助接続部１１ｈの凸部１１ｈ１にそれぞれ嵌め込むことによって、第１ケース１１に対して第２ケース１２を回動可能に接続した接続機構ＪＭとなる。
【００１７】
すなわち、閉塞状態では、第２ケース１２の接続保持部１２ｆが第１ケース１１の軸部１１ｇの外周面の下側に及んでおり（図８（Ａ）を参照）、かつ、第２ケース１２の各補助接続部１２ｇの凹部１２ｇ１が第１ケース１１の各補助接続部１１ｈの凸部１１ｈ１にそれぞれ嵌め込まれているため、前記接続は保持されている。つまり、この閉塞状態では、第２ケース１２の接続保持部１２ｆの上方変位が第１ケース１１の軸部１１ｇの外周面によって抑止されているため、第２ケース１２の第１壁部分１２ｂに上向きの力が作用しても前記接続は保持される。また、先に説明したように第１ケース１１と第２ケース１２が略同じ形状であるため、閉塞状態では互いの開口が閉じられて全体形状が略直方体状に成る。
【００１８】
また、閉塞状態の第２ケース１２の第１壁部分１２ｂを除く部分を上方に持ち上げると、第２ケース１２の接続保持部１２ｆが第１ケース１１の軸部１１ｇの外周面に沿って回動するとともに、第２ケース１２の各補助接続部１２ｇが各々の凹部１２ｇ１を中心として第１ケース１１の各補助接続部１１ｈに対して回転する（図８（Ｂ）を参照）。すなわち、第２ケース１２は接続機構ＪＭを中心に回動して開放する。このときの第２ケース１２の回動角度ＲＡが上限角度（１８０度）に達すると、第２ケース１２の第１壁部分１２ｂの外面下部が第１ケース１１の軸支持部１１ｆの下部外面１１ｆ１に当接してそれ以上の回動が抑止される。つまり、第２ケース１２の回動角度ＲＡが上限角度（１８０度）に達するまでは、接続機構ＪＭの接続保持部１２ｆ等によって前記接続は保持される。
【００１９】
一方、第２ケース１２の回動角度ＲＡが上限角度（１８０度）を超えると（図８（Ｃ）を参照）、第２ケース１２の第１壁部分１２ｂの外面下部が第１ケース１１の軸支持部１１ｆの下部外面１１ｆ１に押し付けられ、この押し付けによる梃子作用によって、第２ケース１２の接続保持部１２ｆが第１ケース１１の軸部１１ｇから離れるとともに、第２ケース１２の各補助接続部１２ｇの凹部１２ｇ１が第１ケース１１の各補助接続部１１ｈの凸部１１ｈ１から脱けて、前記接続が解除される。
【００２０】
よって、第２ケース１２を閉塞状態から開放状態に変化させるときの回動角度ＲＡが上限角度（１８０度）を超えても、換言すれば第２ケース１２の開放時に不適当な操作に基づく力が接続機構ＪＭにかかっても、当該接続機構ＪＭによる接続が解除される仕組みになっているので接続機構ＪＭに損傷を生じることはない。仮に、不適当な操作によって前記接続が解除されてしまった場合でも、第２ケース１２の接続保持部１２ｆを、第１ケース１１の軸部１１ｇと第２壁部分１１ｃとの隙間に上から差し込むとともに、第２ケース１２の各補助接続部１２ｇの凹部１２ｇ１を、第１ケース１１の各補助接続部１１ｈの凸部１１ｈ１にそれぞれ嵌め込むことによって、接続機構ＪＭを復元して、第１ケース１１に対して第２ケース１２を回動可能に再度接続することができる。
【００２１】
なお、接続機構ＪＭとして、図８（Ａ）には中心角が略９０度の接続保持部１２ｆを有するものを示したが、この接続保持部１２ｆの代わりに、中心角が９０度を超える接続保持部１２ｆ、例えば中心角を略１３５度とした接続保持部１２ｆ-1（図９（Ａ）を参照）や、中心角を略１８０度とした接続保持部１２ｆ-2（図９（Ｂ）を参照）を採用しても、前記同様の作用を得ることができる。勿論、軸部１１ｇの強度が高く、かつ、接続保持部１２ｆの強度や弾性等が高い場合には、その中心角が１８０度を超える接続保持部１２ｆも採用可能である。
【００２２】
また、接続機構ＪＭとして、補助接続部１１ｈに凸部１１ｈ１を設け、かつ、補助接続部１２ｇにこの凸部１１ｈ１の嵌め合いおよびその解除を可能とした凹部１２ｇ１を設けたものを示したが、補助接続部１１ｈ側に凹部を設け、かつ、補助接続部１２ｇ側に凹部を設けてもよい。さらに、接続機構ＪＭとして、その中心角が１８０度を超える接続保持部１２ｆを採用した場合には、この接続保持部１２ｆのみで、第１ケース１１に対する第２ケース１２の回動可能な接続およびその解除が可能となるため、第１接続部ＪＭ１から補助接続部１１ｈを排除し、かつ、第２接続部ＪＭ２から補助接続部１２ｇを排除することも可能である。
【００２３】
さらに、接続機構ＪＭとして、第２ケース１２を閉塞状態から開放状態に変化させるときの回動角度ＲＡの上限値を１８０度としたものを示したが、開放状態において第２ケース１２の底部１２ａの内面に遊戯用の各種物品を載置可能であれば、回動角度ＲＡの上限値は１８０度以外の数値、例えば１８５度や１７５度としてもよい。
【００２４】
ロック機構ＬＭは、第２ケース１２の閉塞状態の保持およびその解除を行うものである。具体的には、ロック機構ＬＭは、図１０に示したように、第１ケース１１の第１壁部分１１ｂの外面上部に設けられた略直方体状の第１係合凸部１１ｉと、第２ケース１２の第２壁部分１２ｃの外面下部に設けられた略直方体状の第２係合凸部１２ｈと、第２ケース１２の第２壁部分１２ｃの外面下部に設けられた略直方体状のガイド部１２ｉと、略円柱状のロック操作部１３とを含む。ロック操作部１３の一面には、第１係合凸部１１ｉの差し込みおよび抜き出しを可能とし、かつ、一端を開放した略直方体状の第１係合凹部１３ａと、第２係合凸部１２ｈの差し込みおよび抜き出しを可能とし、かつ、一端を開放した略直方体状の第２係合凹部１３ｂと、ガイド部１２ｉの装着を可能とした略直方体状のガイド溝１３ｃと、ガイド溝１３ｃ内に配置され、かつ、ガイド部１２ｉの付勢を可能とした弾性部材１３ｄと、が設けられている（図１０（Ｃ）を参照）。
【００２５】
図１０（Ａ）および図１０（Ｂ）から分かるように、ロック操作部１３は、そのガイド溝１３ｃ内にガイド部１２ｉが装着され、かつ、弾性部材１３ｄによってガイド部１２ｉが図中左方向に付勢された状態で、第２ケース１２の第２壁部分１２ｃの外面下部に設けられている。図示を省略したが、ロック操作部１３のガイド部１２ｉとガイド溝１３ｃには、ロック操作部１３の抜け落ちを防止するための手段、例えば装着時に互いに係合可能な凹凸部等が設けられている。
【００２６】
閉塞状態では、ロック操作部１３の第１係合凹部１３ａに第１ケース１１の第１係合凸部１１ｉが差し込まれ、かつ、第２係合凹部１３ｂに第２ケース１２の第２係合凸部１２ｈが差し込まれているため、第２ケース１２の閉塞状態が保持されている（図１０（Ａ）を参照）。
【００２７】
ロック操作部１３を図１０（Ａ）に示した保持状態から図中右方向に移動させて、ロック操作部１３の第１係合凹部１３ａから第１ケース１１の第１係合凸部１１ｉを抜き出し、かつ、第２係合凹部１３ｂから第２ケース１２の第２係合凸部１２ｈを抜き出すと、前記保持が解除されるため、第２ケース１２を開放することが可能となる（図１０（Ｄ）を参照）。
【００２８】
また、第２ケース１２を開放状態から閉塞状態に変化させるときにロック操作部１３を前記同様に移動させ、閉塞完了後にロック操作部１３を弾性部材１３ｄの付勢力によって復帰させると、ロック操作部１３の第１係合凹部１３ａに第１ケース１１の第１係合凸部１１ｉが差し込まれ、かつ、第２係合凹部１３ｂに第２ケース１２の第２係合凸部１２ｈが差し込まれるため、第２ケース１２が閉塞状態で再び保持されることになる（図１０（Ａ）および図１０（Ｄ）を参照）。
【００２９】
なお、ロック機構ＬＭとして、第２ケース１２の第２壁部分１２ｃに第２係合凸部１２ｈを設け、かつ、ロック操作部１３の一面に第２係合凸部１２ｈの差し込みおよび抜き出しを可能とした第２係合凹部１３ｂを設けたものを示したが、ロック操作部１３が第２ケース１２側に設けられているため、第２係合凸部１２ｈと第２係合凹部１３ｂを排除しても前記同様の保持およびその解除を行うことができる。
【００３０】
また、ロック機構ＬＭとして、ロック操作部１３等を有するものを示したが、第２ケース１２の閉塞状態の保持および解除が可能であれば、簡易なロック機構、例えばスナップ錠やクレセント錠等を代わりに用いることも可能である。
【００３１】
把持部１４は、閉塞状態にあるハウス玩具１０を持ち運ぶときに使用されるものであり、閉塞状態で説明すると、外観が略コ字状で、第２ケース１２、具体的には第２ケース１２の底部１２ａの外面の略中央に設けられている。この把持部１４は、第２ケース１２を閉塞状態から開放したときに当該第２ケース１２を支持する部材を兼用している。
【００３２】
すなわち、把持部１４は、図６に示したように、載置面ＦＳ上に第１ケース１１を置いて第２ケース１２を閉塞状態から開放状態に変化させるときの回動角度ＲＡ（図８（Ｂ）を参照）が上限角度（１８０度）に達したときに、載置面ＦＳに当接して第２ケース１２を支持する役目を果たす。換言すれば、把持部１４の形状および高さは、図６に示した開放状態において、第２ケース１２の底部１２ａの内面が、第１ケース１１の底部１１ａの内面と同様、遊戯用の各種物品を載置可能な面として使用できるように調整されている。
【００３３】
図６に示した開放状態における第２ケース１２の底部１２ａの内面を、遊戯用の各種物品を載置可能な面として使用する場合、当該底部１２ａの内面は、第１ケース１１の底部１１ａの内面と略平行となるようにすることが好ましい。また、図６に示した開放状態における第２ケース１２の底部１２ａの内面と第１ケース１１の底部１１ａの内面とが載置面ＦＳに対して異なる高さ位置となるようにすることで、第１ケース１１の底部１１ａの内面を１階フロアに似せ、かつ、第２ケース１２の底部１２ａの内面を２階フロアに似せたような外観を得ることができる。
【００３４】
次に、前記ハウス玩具１０の遊戯方法を、前記ハウス玩具１０によって得られる効果を交えて説明する。なお、ここで説明する遊戯方法はあくまでも一例であって、前記ハウス玩具１０の遊戯方法を制限するものではない。
【００３５】
閉塞状態のハウス玩具１０は、ロック機構ＬＭによって第２ケース１２が閉塞状態で保持されているため、把持部１４を手で握って目的地に持ち運ぶことができる。また、閉塞状態のハウス玩具１０はその内側に空間があるため、遊戯用の各種物品を同空間に収納したまま持ち運ぶことも可能である。
【００３６】
閉塞状態のハウス玩具１０を目的地に持ち運んだ後は、第１ケース１１の底部１１ａの外面がなるべく平らな面（載置面）に接するようにハウス玩具１０を置き、ロック機構ＬＭによる閉塞状態の保持を解除して（図１０（Ｄ）を参照）、第２ケース１２を閉塞状態から開放状態に変化させる（図６および図８（Ｂ）を参照）。
【００３７】
先に説明したように、第２ケース１２を閉塞状態から開放状態に変化させるとき、第２ケース１２の回動角度ＲＡが上限角度（１８０度）に達すると、第２ケース１２のそれ以上の回動は抑止されるようになっている（図８（Ｂ）を参照）。万が一、第２ケース１２の回動角度ＲＡが上限角度（１８０度）を超えたときには接続機構ＪＭによる接続が解除されるため（図８（Ｃ）を参照）、第２ケース１２の開放時に不適当な操作に基づく力が接続機構ＪＭにかかっても当該接続機構ＪＭに損傷を生じることはない。また、不適当な操作によって前記接続が解除されてしまった場合でも、接続機構ＪＭを復元することによって第１ケース１１に対して第２ケース１２を回動可能に再度接続することができる。
【００３８】
遊戯用の各種物品を閉塞状態のハウス玩具１０内に収納していた場合には、第２ケース１２を閉塞状態から開放状態に変化させた後にこれら物品を取り出して開放状態のハウス玩具１０の近くに置く。また、遊戯用の各種の物品をハウス玩具１０と別に持ち運んだ場合も、これら物品をハウス玩具１０の近くに置く。第２ケース１２を閉塞状態から開放状態に変化させると、第２ケース１２は把持部１４によって開放状態のまま支持されるため、第２ケース１２を開放状態で保持するために別の道具を使用する必要はない。
【００３９】
また、開放状態のハウス玩具１０は、第１ケース１１の底部１１ａの内面と第２ケース１２の底部１２ａの内面のそれぞれを、遊戯用の各種物品を載置可能な面として使用でき、しかも、第１ケース１１の底部１１ａの内面を１階フロアに似せ、かつ、第２ケース１２の底部１２ａの内面を２階フロアに似せた外観となっている（図６を参照）。すなわち、第１ケース１１の底部１１ａの内面と第２ケース１２の底部１２ａの内面のそれぞれに各種物品を適宜配置することによって、好みの位置に物品が置かれた部屋を作り上げて遊戯を楽しむことができる。
【００４０】
遊戯を終了するときには、第２ケース１２を開放状態から閉塞状態に変化させるとともにロック機構ＬＭによって閉塞状態の保持を行う（図１０（Ａ）を参照）。遊戯用の各種物品は第２ケース１２を開放状態から閉塞状態に変化させるときに、その内側空間に収納してもよいし、外部に取り出してもよい。先に説明したように閉塞状態のハウス玩具１０は把持部１４を手で握って持ち運ぶことができるため、遊戯終了後は閉塞状態のハウス玩具１０を前記目的地とは異なる場所に運搬または保管することができる。
【００４１】
次に、図１１を用いて、前記ハウス玩具１０に有用な階段状物品１５について説明する。この階段状物品１５は、開放状態のハウス玩具１０の第１ケース１１の底部１１ａの内面を１階フロアに似せ、かつ、第２ケース１２の底部１２ａの内面を２階フロアに似せたような外観とした場合に特に有用である。
【００４２】
図１１に示した階段状物品１５は、外観が略Ｌ字状を成す２本の支柱１５ａの間に複数の平板状の踏み桟１５ｂを等間隔で設けたものである。第２ケース１２を開放状態から閉塞状態に変化させた後に階段状物品１５の一端側の屈曲部分を接続機構ＪＭのうえに引っかけ、かつ、他端を第１ケース１１の底部１１ａの内面に接するように配置すれば、１階フロア（第１ケース１１の底部１１ａの内面）から２階フロア（第２ケース１２の底部１２ａの内面）を連絡する階段を作り上げることができる。
【００４３】
なお、階段状物品１５は、図１１に示した形態に限らず、同様の配置が可能な他の形態、例えば梯子を模した形態や縄梯子を模した形態等に変更してもよい。
【００４４】
次に、図１２を用いて、前記ハウス玩具１０に有用な補助載置部１６について説明する。この補助載置部１６は、第２ケースの第４壁部分１２ｅに開閉可能に設けられていて、必要に応じて外部に開くことによって物品を載置することができる。
【００４５】
図１２に示した補助載置部１６は、第２ケースの第４壁部分１２ｅに設けた円状の孔１２ｅ１への嵌め合いおよびその解除を可能とした外形が円状の差し込み部１６ａと、差し込み部１６ａよりも外形が大きな円状の鍔部１６ｂと、差し込み部１６ａに一端を連結され、かつ、第２ケースの第４壁部分１２ｅに設けた規制部１２ｅ２によって引出量が制限された帯状の開閉制御部１６ｃと、を有している。
【００４６】
補助載置部１６を使用するときは、補助載置部１６の差し込み部１６ａを孔１２ｅ１から抜き出して、開閉制御部１６ｃの引出量が制限されるまで補助載置部１６を外部に開けばよい。補助載置部１６の開き角度は略９０度が好ましく、この開き角度は規制部１２ｅ２と開閉制御部１６ｃとによって調整することができる。開いた後の補助載置部１６には遊戯用の各種物品のうちの好みの物品の載置することができる。また、第２ケースの第４壁部分１２ｅに設けた孔１２ｅ１は、補助載置部１６を開いた後に窓穴に似たものとなるため、窓が開いた部屋のような外観を得ることができる。
【００４７】
なお、補助載置部１６は、図１２に示した形態に限らず、同様の開閉および物品の載置が可能な他の形態、例えば差し込み部（１６ａ）と鍔部（１６ｂ）の外形を矩形状とし、かつ、第２ケースの第４壁部分１２ｅに設けた孔（１２ｅ１）を矩形状とした形態や、第２ケースの第４壁部分１２ｅに孔を設けず、かつ、第４壁部分１２ｅの外面に外形が円状または矩形状の補助載置部（１６）を約９０度の開閉ができるように配置した形態等に変更してもよい。また、補助載置部１６は、前記の他の形態の補助載置部を含め、第２ケースの第４壁部分１２ｅ以外の箇所、例えば第１〜第３壁部分１２ｂ〜１２ｄのいずれかに設けるようにしてもよいし、第２ケース１２の壁部と第１ケース１１の壁部の両方に設けるようにしてもよいし、第１ケース１１の壁部のみに設けるようにしてもよい。
【００４８】
次に、前記ハウス玩具１０に関する他の変形例について説明する。
【００４９】
（変形例１）前記ハウス玩具１０として、第１ケース１１と第２ケース１２が略同一形状のものを示したが、第１ケース１１の第１壁部分１１ｂの高さ（第１高さ）を増加し、かつ、第２ケース１２の第２壁部分１２ｃの高さ（第２高さ）をこの増加分だけ減少したような非同一形状の第１ケースと第２ケースを用いてもよい。このような第１ケースと第２ケースを用いても、接続機構ＪＭによって第２ケースを閉塞状態と開放状態とに変化できるとともに、接続機構ＪＭの接続解除機能による作用効果を同様に得ることができる。
【００５０】
（変形例２）前記ハウス玩具１０として、第１ケース１１の第３壁部分１１ｄと第４壁部分１１ｅのそれぞれの上縁と、第２ケース１２の第３壁部分１２ｄと第４壁部分１２ｅのそれぞれの上縁を、側方から見て凹曲線と凸曲線とを組み合わせた態様としたものを示したが、第１高さから第２高さに変化する態様の上縁であれば、各第３壁部分の上縁と各第４壁部分の上縁を、側方から見て斜線となるような態様としてもよいし、側方から見て第１高さの直線と第２高さの直線と第１高さから第２高さに向かう直線とを組み合わせたような態様としてもよい。
【符号の説明】
【００５１】
１０…ハウス玩具、１１…第１ケース、１１ａ…底部、１１ｂ…第１壁部分、１１ｃ…第２壁部分、１１ｄ…第３壁部分、１１ｅ…第４壁部分、１２…第２ケース、１２ａ…底部、１２ｂ…第１壁部分、１２ｃ…第２壁部分、１２ｄ…第３壁部分、１２ｅ…第４壁部分、ＪＭ…接続機構、ＪＭ１…第１接続部、１１ｇ…軸部、１１ｈ…補助接続部、１１ｈ１…凸部、ＪＭ２…第２接続部、１２ｆ，１２ｆ-1，１２ｆ-2…接続保持部、１２ｇ…補助接続部、１２ｇ１…凹部、ＲＡ…回動角度、ＬＭ…ロック機構、１４…把持部、１５…階段状物品、１６…補助載置部。
【図１】
2018110835.tif 000003
【図２】
2018110835.tif 000004
【図３】
2018110835.tif 000005
【図４】
2018110835.tif 000006
【図５】
2018110835.tif 000007
【図６】
2018110835.tif 000008
【図７】
2018110835.tif 000009
【図８】
2018110835.tif 000010
【図９】
2018110835.tif 000011
【図１０】
2018110835.tif 000012
【図１１】
2018110835.tif 000013
【図１２】
2018110835.tif 000014